(57)【要約】【課題】第３除湿運転で室内を除湿するとき、室内の熱負荷に関して対応可能な範囲を広げることができる空気調和機を提供する。【解決手段】空気調和機は制御部(１００)を備える。制御部(１００)は、室内熱交換器(１１)の実質的に全部を蒸発域にする第１除湿運転と、室内熱交換器(１１)の一部を蒸発域にする一方、室内熱交換器(１１)の残りの部分を過熱域にする第２除湿運転と、室内熱交換器(１１)において制御弁(１３)よりも上流側の部分を凝縮域とする一方、室内熱交換器(１１)において制御弁(１３)よりも下流側の部分を蒸発域とする第３除湿運転とを行うと共に、第３除湿運転時における室外ファン(２６)の回転数の制御範囲が、第２除湿運転時における室外ファン(２６)の回転数の制御範囲よりも広くなるように、室外ファン(２６)を制御する。【選択図】図２
2020070983.tif 000002
【特許請求の範囲】
【請求項１】
圧縮機(２１)、室外熱交換器(２３)、膨張機構(２４)および室内熱交換器(１１)が環状に接続され、冷媒が循環する冷媒回路(ＲＣ)と、
上記室外熱交換器(２３)に空気を送る室外ファン(２６)と、
制御部(１００，２００，３００)と
を備え、
上記室内熱交換器(１１)は制御弁(１３)を有し、
上記制御部(１００，２００，３００)は、
上記室内熱交換器(１１)の実質的に全部を蒸発域にする第１除湿運転と、
上記室内熱交換器(１１)の一部を蒸発域にする一方、上記室内熱交換器(１１)の残りの部分を過熱域にする第２除湿運転と、
上記室内熱交換器(１１)において上記制御弁(１３)よりも上流側の部分を凝縮域とする一方、上記室内熱交換器(１１)において上記制御弁(１３)よりも下流側の部分を蒸発域とする第３除湿運転と
を行うと共に、
上記第３除湿運転時における上記室外ファン(２６)の回転数の制御範囲が、上記第２除湿運転時における上記室外ファン(２６)の回転数の制御範囲よりも広くなるように、上記室外ファン(２６)を制御することを特徴とする空気調和機。
【請求項２】
請求項１に記載の空気調和機において、
上記制御部(１００，２００，３００)は、上記第３除湿運転時における上記室外ファン(２６)の回転数の上限値が、上記第２除湿運転時における上記室外ファン(２６)の回転数の上限値よりも高くなるように、上記室外ファン(２６)を制御することを特徴とする空気調和機。
【請求項３】
請求項１または２に記載の空気調和機において、
上記制御部(１００，２００，３００)は、上記第３除湿運転時における上記室外ファン(２６)の回転数の下限値が、上記第２除湿運転時における上記室外ファン(２６)の回転数の下限値よりも低くなるように、上記室外ファン(２６)を制御することを特徴とする空気調和機。
【請求項４】
請求項１から３までのいずれか一項に記載の空気調和機において、
外気温度を検出する室外温度センサ(５７)を備え、
上記制御部(２００)は、上記第３除湿運転中、上記室外ファン(２６)の回転数が所定回転数以下になったとき、上記室外ファン(２６)の回転数が上記所定回転数以下になる直前に上記室外温度センサ(５７)が検出した外気温度を用いて、上記室外ファン(２６)の回転数を調整することを特徴とする空気調和機。
【請求項５】
請求項４に記載の空気調和機において、
上記制御部(３００)は、上記第３除湿運転中、上記室外ファン(２６)の回転数が上記所定回転数以下となってから、所定時間経過したとき、上記室外ファン(２６)の回転数を上記所定回転数よりも上げて、上記室外温度センサ(５７)に外気温度を検出させることを特徴とする空気調和機。
【発明の詳細な説明】
【技術分野】
【０００１】
本開示は、空気調和機に関する。
【背景技術】
【０００２】
従来、空気調和機としては、特開２００４−１０８６１８号公報(特許文献１)に開示されているように、顕熱能力の大きな第１除湿運転と、この第１除湿運転よりも顕熱能力が小さい第２除湿運転と、この第２除湿運転よりも顕熱能力が小さい第３除湿運転とを行うものがある。
【先行技術文献】
【特許文献】
【０００３】
【特許文献１】特開２００４−１０８６１８号公報
【発明の概要】
【発明が解決しようとする課題】
【０００４】
上記従来の空気調和機の第３除湿運転では、室内の熱負荷に関して対応可能な範囲が狭いという問題があった。
【０００５】
本開示の課題は、第３除湿運転で室内を除湿するとき、室内の熱負荷に関して対応可能な範囲を広げることができる空気調和機を提供することにある。
【課題を解決するための手段】
【０００６】
本開示の空気調和機は、
圧縮機、室外熱交換器、膨張機構および室内熱交換器が環状に接続され、冷媒が循環する冷媒回路と、
上記室外熱交換器に空気を送る室外ファンと、
制御部と
を備え、
上記室内熱交換器は制御弁を有し、
上記制御部は、
上記室内熱交換器の実質的に全部を蒸発域にする第１除湿運転と、
上記室内熱交換器の一部を蒸発域にする一方、上記室内熱交換器の残りの部分を過熱域にする第２除湿運転と、
上記室内熱交換器において上記制御弁よりも上流側の部分を凝縮域とする一方、上記室内熱交換器において上記制御弁よりも下流側の部分を蒸発域とする第３除湿運転と
を行うと共に、
上記第３除湿運転時における上記室外ファンの回転数の制御範囲が、上記第２除湿運転時における上記室外ファンの回転数の制御範囲よりも広くなるように、上記室外ファンを制御する。
【０００７】
上記構成によれば、上記制御部が室外ファンを制御することにより、第３除湿運転時における室外ファンの回転数の制御範囲を、第２除湿運転時における室外ファンの回転数の制御範囲よりも広げることができる。したがって、上記第３除湿運転で室内を除湿するとき、室内の熱負荷に関して対応可能な範囲を広げることができる。
【０００８】
一態様の空気調和機では、
上記制御部は、上記第３除湿運転時における上記室外ファンの回転数の上限値が、上記第２除湿運転時における上記室外ファンの回転数の上限値よりも高くなるように、上記室外ファンを制御する。
【０００９】
上記態様によれば、上記制御部が室外ファンを制御することにより、第３除湿運転時における室外ファンの回転数の上限値が、第２除湿運転時における室外ファンの回転数の上限値よりも高くなる。したがって、上記第３除湿運転で室内を除湿するとき、除湿効率を上げることができる。
【００１０】
一態様の空気調和機では、
上記制御部は、上記第３除湿運転時における上記室外ファンの回転数の下限値が、上記第２除湿運転時における上記室外ファンの回転数の下限値よりも低くなるように、上記室外ファンを制御する。
【００１１】
上記態様によれば、上記制御部が室外ファンを制御することにより、第３除湿運転時における室外ファンの回転数の下限値が、第２除湿運転時における室外ファンの回転数の下限値よりも低くなる。したがって、上記第３除湿運転で室内を除湿するとき、いわゆるチョーク現象が冷媒回路で生じ難くなる。
【００１２】
一態様の空気調和機は、
外気温度を検出する室外温度センサを備え、
上記制御部は、上記第３除湿運転中、上記室外ファンの回転数が所定回転数以下になったとき、上記室外ファンの回転数が上記所定回転数以下になる直前に上記室外温度センサが検出した外気温度を用いて、上記室外ファンの回転数を調整する。
【００１３】
上記態様によれば、上記第３除湿運転中、室外ファンの回転数が所定回転数以下になると、室外ファンの回転数が所定回転数以下になる直前に室外温度センサが検出した外気温度を用いて、室外ファンの回転数を調整することにより、室外ファンの回転数の調整の信頼性を高める。
【００１４】
一態様の空気調和機では、
上記制御部は、上記第３除湿運転中、上記室外ファンの回転数が上記所定回転数以下となってから、所定時間経過したとき、上記室外ファンの回転数を上記所定回転数よりも上げて、上記室外温度センサに外気温度を検出させる。
【００１５】
上記態様によれば、上記第３除湿運転中、上記室外ファンの回転数が所定回転数以下となってから、所定時間経過したとき、室外ファンの回転数を所定回転数よりも上げて、室外温度センサに外気温度を検出させることにより、室外温度センサが検出する室外温度と実際の室外温度との差を低減することができる。
【図面の簡単な説明】
【００１６】
【図１】本開示の第１実施形態の空気調和機の冷媒回路の回路図である。
【図２】上記空気調和機の制御ブロック図である。
【図３】上記空気調和機の冷房除湿運転を説明するための模式図である。
【図４】上記空気調和機の過絞り除湿運転を説明するための模式図である。
【図５】上記空気調和機の再熱除湿運転を説明するための模式図である。
【図６】上記空気調和機の冷房除湿運転、過絞り除湿運転および再熱除湿運転に関するモリエル線図である。
【図７】上記空気調和機の冷房除湿運転、過絞り除湿運転および再熱除湿運転の運転条件を比較するための表である。
【図８】本開示の第２実施形態の空気調和機の制御ブロック図である。
【図９】本開示の第３実施形態の空気調和機の制御ブロック図である。
【発明を実施するための形態】
【００１７】
以下、本開示の空気調和機を、図示の実施の形態により詳細に説明する。
【００１８】
〔第１実施形態〕
図１は、本開示の第１実施形態の空気調和機が備える冷媒回路ＲＣの回路図である。
【００１９】
上記空気調和機は、空調対象である室内に設置される室内機１と、室外に設置される室外機２とを備える。
【００２０】
室内機１は、例えば、室内の壁面に取り付けられる壁掛け式の室内ユニットである。この室内機１は、室内熱交換器１１と、この室内熱交換器１１に空気を送る室内ファン１２と、室内熱交換器１１の温度を検出する室内熱交換器温度センサ５１と、室内温度を検出する室内温度センサ５２と、室内湿度を検出する室内湿度センサ５３とを有する。
【００２１】
室内熱交換器１１は、室内ファン１２による空気流に関して、室内ファン１２よりも上流側に位置している。この室内熱交換器１１は、室内ファン１２からの空気と冷媒との熱交換を行うために、本体熱交換部１１ａと、補助熱交換部１１ｂと、制御弁の一例としての電磁弁１３とを有する。
【００２２】
本体熱交換部１１ａは、室内ユーザ側に位置する正面部１１ａ−１と、室内ユーザ側とは反対側に位置する背面部１１ａ−２とから成っている。また、正面部１１ａ−１は、冷媒配管Ｌ１，Ｌ２および電磁弁１３を介して背面部１１ａ−２に流体的に接続されている。これにより、膨張弁２４から本体熱交換部１１ａへ流れる冷媒は、正面部１１ａ−１を流れた後、背面部１１ａ−２に流入することが可能となっている。
【００２３】
補助熱交換部１１ｂは、本体熱交換部１１ａの正面部１１ａ−１に関して本体熱交換部１１ａの背面部１１ａ−２側とは反対側に設けられている。すなわち、補助熱交換部１１ｂは、本体熱交換部１１ａの正面部１１ａ−１よりも、室内ユーザ側に位置する。この補助熱交換部１１ｂは、本体熱交換部１１ａよりも、容積が小さい。また、補助熱交換部１１ｂは、冷媒配管Ｌ１１を介して本体熱交換部１１ａの正面部１１ａ−１に流体的に接続されている。これにより、膨張弁２４側からの冷媒は、補助熱交換部１１ｂを介して、本体熱交換部１１ａに供給される。このように、補助熱交換部１１ｂは、冷媒配管Ｌ３と冷媒配管Ｌ１１との間の冷媒パスを有するものと言える。
【００２４】
室内ファン１２としては、例えば、クロスフローファンが採用される。このクロスフローファンは、室内熱交換器１１で温度などが調整された空気を室内に向けて吹き出す。
【００２５】
電磁弁１３は、電磁弁１３は、室内熱交換器１１の冷媒パスの中間部に設けられている。より詳しく説明すると、本体熱交換部１１ａの正面部１１ａ−１側と本体熱交換部１１ａの正面部１１ａ−１側との間に差圧を設定するための弁である。電磁弁１３は、大開度および小開度の２位置のみを取ることが可能なオンオフ弁であり、必要時(例えば、後述する再熱除湿運転時)にオンされ、大開度の位置から小開度の位置に切り替えられる。
【００２６】
室外機２は、圧縮機２１と、四路切換弁２２と、室外熱交換器２３と、膨張機構の一例としての膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７と、膨張弁２４で減圧された冷媒の温度(蒸発温度)を検出する冷媒温度センサ５８とを有する。なお、冷媒温度センサ５８は、第１冷媒温度センサの一例である。
【００２７】
室外熱交換器２３は、室外ファン２６による空気流に関して、室外ファン２６よりも下流側に位置している。室外熱交換器２３内を流れる冷媒は、室内ファン１２からの空気と熱交換する。
【００２８】
膨張弁２４は、互いに異なる３以上の開度に調整可能な例えば電動弁であって、制御部の一例としての制御装置１００(図２に示す)からの信号に応じて開度が変化する。
【００２９】
また、上記空気調和機の冷媒回路ＲＣは、室内熱交換器１１、圧縮機２１、四路切換弁２２、室外熱交換器２３、膨張弁２４、アキュムレータ２５および冷媒配管Ｌ３〜Ｌ９から成っている。より詳しく説明すると、室内熱交換器１１、圧縮機２１、四路切換弁２２、室外熱交換器２３、膨張弁２４およびアキュムレータ２５が、冷媒配管Ｌ３〜Ｌ９によって流体的に接続される。これにより、環状の冷媒回路ＲＣが構成されている。このような冷媒回路ＲＣにおいて、圧縮機２１の駆動時、冷媒が循環する。
【００３０】
外気温度センサ５７は、室外ファン２６による空気流に関して、室外熱交換器２３よりも上流側に位置している。すなわち、室内ファン１２の駆動時、室外熱交換器２３と熱交換する前の室外空気が外気温度センサ５７を経由するようになっている。
【００３１】
また、図示しないが、上記空気調和機は、リモートコントローラ(以下、「リモコン」と言う。)を備える。ユーザは、リモコンを操作して、自動運転、冷房運転、暖房運転、除湿運転などを開始させたり、停止させたりすることができる。
【００３２】
図２は、上記空気調和機の制御ブロック図である。
【００３３】
上記空気調和機は、冷媒回路ＲＣを制御する制御装置１００を備える。より詳しく説明すると、制御装置１００は、マイクロコンピュータ、入出力回路などから成っている。この制御装置１００が、室内熱交換器温度センサ５１、室内温度センサ５２、室内湿度センサ５３、室外熱交換器温度センサ５６、外気温度センサ５７、冷媒温度センサ５８などからの信号に基づいて、圧縮機２１、四路切換弁２２、膨張弁２４、室外ファン２６、室内ファン１２、電磁弁１３などを制御する。なお、制御装置１００は制御部の一例である。
【００３４】
また、制御装置１００は、冷房除湿運転を行う冷房除湿運転制御部１００ａと、過絞り除湿運転を行う過絞り除湿運転制御部１００ｂと、再熱除湿運転を行う再熱除湿運転制御部１００ｃとを有する。この冷房除湿運転制御部１００ａ、過絞り除湿運転制御部１００ｂおよび再熱除湿運転制御部１００ｃは、それぞれ、ソフトウェアにより構成されている。なお、上記冷房除湿運転は、第１除湿運転の一例である。また、上記過絞り除湿運転は、第２除湿運転の一例である。また、上記再熱除湿運転は、第３除湿運転の一例である。
【００３５】
［冷房除湿運転］
上記冷房除湿運転は、図１に示すように、四路切換弁２２を実線の切換え位置に切り換えると共に、圧縮機２１を起動することで、開始される。この冷房除湿運転中、圧縮機２１から吐出された高温高圧の冷媒が四路切換弁２２を介して室外熱交換器２３に流入する。そして、室外熱交換器２３で凝縮した冷媒は、膨張弁２４で減圧された後、室内熱交換器１１の補助熱交換部１１ｂと、室内熱交換器１１の本体熱交換部１１ａとに、この順で流入する。この本体熱交換部１１ａおよび補助熱交換部１１ｂで蒸発した冷媒が四路切換弁２２およびアキュムレータ２５を介して圧縮機２１の吸入側に戻る。このように、冷媒が冷媒回路ＲＣを循環するとき、冷房除湿運転制御部１００ａが、圧縮機２１の周波数と膨張弁２４の開度とを調整すると共に、電磁弁１３をオフにすることで、図３に示すように、室内熱交換器１１の実質的に全部を蒸発域(図３において斜線のハッチングを付した領域)とする。これにより、上記冷房除湿運転は、室内温度を変化させるための能力である顕熱能力が高くなる。
【００３６】
ここで、室内熱交換器１１の実質的に全部を蒸発域にするとは、室内熱交換器１１の全部を蒸発域にするときだけでなく、室内熱交換器１１において一部を除いた部分だけを蒸発域にするときも含む。この一部(例えば、室内熱交換器１１の全容積の１／３以下の部分)だけが蒸発域とならないときとしては、例えば、室内環境などによって、室内熱交換器１１の冷媒出口近傍の部分が過熱域となるときなどがある。
【００３７】
［過絞り除湿運転］
上記過絞り除湿運転は、上記冷房除湿運転のときと同じ方向に冷媒を流す。このとき、過絞り除湿運転制御部１００ｂが、圧縮機２１の周波数と膨張弁２４の開度とを調整すると共に、電磁弁１３をオフにすることで、図４に示すように、補助熱交換部１１ｂを蒸発域(斜線のハッチングを付した領域)にする一方、本体熱交換部１１ａの正面部１１ａ−１および背面部１１ａ−２を過熱域(点のハッチングを付した領域)にする。これにより、上記過絞り除湿運転は、冷房除湿運転によりも顕熱能力が低くなるので、室内の熱負荷が高くも低くもないとき、室温の低下を抑制しつつ、室内の除湿を行える。
【００３８】
また、過絞り除湿運転制御部１００ｂは、過絞り除湿運転中、蒸発域が所定容積(例えば、室内熱交換器１１の全容積の２／３)以下となるように、圧縮機２１および膨張弁２４を制御する。
【００３９】
［再熱除湿運転］
上記再熱除湿運転は、上記冷房除湿運転のときと同じ方向に冷媒を流す。このとき、再熱除湿運転制御部１００ｃが、圧縮機２１の周波数と膨張弁２４の開度とを調整すると共に、電磁弁１３をオンにすることで、図５に示すように、補助熱交換部１１ｂと本体熱交換部１１ａの正面部１１ａ−１とを凝縮域(格子のハッチングを付した領域)にする一方、本体熱交換部１１ａの背面部１１ａ−２を蒸発域(斜線のハッチングを付した領域)にする。これにより、上記再熱除湿運転は、過絞り除湿運転よりも顕熱能力が低くなるので、室内の熱負荷が低いとき、室温の低下を抑制しつつ、室内の除湿を行える。
【００４０】
また、上記再熱除湿運転では、電磁弁１３は、小開度の位置に切り替えられる。すなわち、上記再熱除湿運転における電磁弁１３の開度は、空気流量が１０Ｌ／ｍｉｎ未満に相当する開度である。上記再熱除湿運転における電磁弁１３の開度は、空気流量が５Ｌ／ｍｉｎに相当する開度であれば好ましい。さらに、上記再熱除湿運転における電磁弁１３の開度は、空気流量が３．５Ｌ／ｍｉｎに相当する開度であれば好ましい。ここで、「上記再熱除湿運転における電磁弁１３の開度が、空気流量が１０Ｌ／ｍｉｎ未満に相当する開度である」とは、上記開度において冷媒回路ＲＣを流れる空気流量が１０Ｌ／ｍｉｎ未満であることをいうのではなく、電磁弁１３の流量特性から求められる上記開度における空気流量が１０Ｌ／ｍｉｎ未満であることをいう。
【００４１】
上記冷房除湿運転、過絞り除湿運転または再熱除湿運転は、リモコンの除湿運転のボタンの押下に応じて開始するようになっている。より詳しく説明すると、上記除湿運転のボタが押下されると、例えば顕熱比に基づいて、冷房除湿運転、過絞り除湿運転および再熱除湿運転のうちの一つの除湿運転が自動的に選択されて開始する。その後、上記顕熱比の変化に応じて、他の除湿運転に自動的に切り替わる。なお、上記顕熱比とは、全熱(＝顕熱＋潜熱)に対する顕熱の比を指す。
【００４２】
図６は、上記空気調和機の冷房除湿運転時、過絞り除湿運転時および再熱除湿運転時のモリエル線図である。
【００４３】
過絞り除湿運転制御部１００ｂの制御は、過絞り除湿運転の蒸発温度は、冷房除湿運転の蒸発温度よりも低くなるように行われる。このとき、膨張弁２４の開度は、通常、冷房除湿運転中の膨張弁２４の開度よりも小さくなる。
【００４４】
再熱除湿運転制御部１００ｃの制御は、再熱除湿運転の蒸発温度が過絞り除湿運転の蒸発温度よりも低くなるように行われる。このとき、膨張弁２４の開度は、過絞り除湿運転中における膨張弁２４の最大開度よりも大きい開度に固定される。
【００４５】
図７は、上記空気調和機の冷房除湿運転、過絞り除湿運転および再熱除湿運転の運転条件を比較するための表を示す。
【００４６】
再熱除湿運転制御部１００ｃは、再熱除湿運転時における室外ファン２６の回転数の制御範囲が、過絞り除湿運転時における室外ファン２６の回転数の制御範囲よりも広くなるように、室外ファン２６を制御する。このとき、過絞り除湿運転時における室外ファン２６の回転数の上限値は例えば８４０ｒｐｍに設定される一方、再熱除湿運転時における室外ファン２６の回転数の上限値は例えば９７０ｒｍｐに設定される。また、過絞り除湿運転時における室外ファン２６の回転数の下限値は例えば５１０ｒｐｍに設定される一方、再熱除湿運転時における室外ファン２６の回転数の下限値は例えば１５０ｒｐｍに設定される。
【００４７】
また、膨張弁２４の開度は、パルス信号によって調整される。このパルス信号のパルス数は、膨張弁２４の開度と比例する。すなわち、上記パルス数が増えにつれて、膨張弁２４の開度は大きくなる。
【００４８】
上記構成の空気調和機では、リモコンの除湿運転のボタンが押下された後、再熱除湿運転が開始すると、再熱除湿運転制御部１００ｃが室外ファン２６を制御する。これにより、再熱除湿運転時における室外ファン２６の回転数の制御範囲を、過絞り除湿運転時における室外ファン２６の回転数の制御範囲よりも広げることができる。したがって、上記再熱除湿運転で室内を除湿するとき、室内の熱負荷に関して対応可能な範囲を広げることができる。
【００４９】
また、上記再熱除湿運転時における室外ファン２６の回転数の上限値は、過絞り除湿運転時における室外ファン２６の回転数の上限値よりも高い。これにより、上記過絞り除湿運転時における冷媒の蒸発温度よりも、再熱除湿運転時における冷媒の蒸発温度を下げることができる。したがって、上記再熱除湿運転で室内を除湿するとき、除湿効率を上げることができる。
【００５０】
また、上記再熱除湿運転時における室外ファン２６の回転数の下限値は、過絞り除湿運転時における室外ファン２６の回転数の下限値よりも低い。これにより、上記再熱除湿運転時、室外熱交換器２３と室内熱交換器１１との間における冷媒の圧力が過度に低下するのを抑制することができる。したがって、上記再熱除湿運転で室内を除湿するとき、チョーク現象の発生を抑制することができる。
【００５１】
上記第１実施形態では、リモコンの除湿運転のボタンが押下されると、冷房除湿運転、過絞り除湿運転および再熱除湿運転のうちの一つの除湿運転が適宜選択されて行われていたが、リモコンの自動運転のボタンが押下されても、冷房除湿運転、過絞り除湿運転および再熱除湿運転のうちの一つの除湿運転が適宜選択されて行われるようにしてもよい。ここで、上記自動運転は、室内温度、室外温度などに基づいて、冷房運転、除湿運転、暖房運転などから一つが自動的に選択されて開始した後、自動的に他の空調運転に切り替わるものである。すなわち、例えば、上記自動運転の除湿運転において過絞り除湿運転が自動的に開始してもよい。また、上記自動運転の除湿運転では、冷房除湿運転、過絞り除湿運転および再熱除湿運転は、例えば顕熱比の変化に応じて、自動的に互いに切り替わるようにしてもよい。
【００５２】
上記第１実施形態では、室内熱交換器１１は、本体熱交換部１１ａと補助熱交換部１１ｂを有していたが、本体熱交換部１１ａを有する一方、補助熱交換部１１ｂを有さないようにしてもよい。このようにする場合、過絞り除湿運転時、本体熱交換部１１ａの一部だけが蒸発域となるようにすればよい。
【００５３】
上記第１実施形態では、本体熱交換部１１ａの正面部１１ａ−１側と本体熱交換部１１ａの正面部１１ａ−１側との間に、電磁弁１３を設けていたが、互いに異なる３以上の開度に調整可能な電動弁を制御弁の一例として設けてもよい。
【００５４】
上記第１実施形態において、制御装置１００は、室内機１側の室内制御部(図示せず)と、室外機２側の室外制御部(図示せず)とで構成されてもよいし、上記室内制御部のみで構成されるようにしてもよいし、上記室外制御部のみで構成されてもよい。別の言い方をすれば、制御装置１００は、一部が室内機１に搭載され、かつ、残りの他の部分が室外機２に搭載されるようにしてもよいし、全部が室内機１に搭載されるようにしてもよいし、全部が室外機２に搭載されるようにしてもよい。
【００５５】
上記第１実施形態では、冷房除湿運転制御部１００ａ、過絞り除湿運転制御部１００ｂおよび再熱除湿運転制御部１００ｃは、それぞれ、ソフトウェアにより構成されていたが、冷房除湿運転制御部１００ａ、過絞り除湿運転制御部１００ｂおよび再熱除湿運転制御部１００ｃのうちの少なくとも一つが、ハードウェアにより構成されるようにしてもよい。
【００５６】
上記第１実施形態において、再熱除湿運転制御部１００ｃは、室外ファン２６の回転数が最大回転数になってから、再熱除湿運転が終わるように、室外ファン２６を制御してもよい。すなわち、再熱除湿運転が終わる直前に、室外ファン２６の回転数が最大回転数になってもよい。これにより、上記再熱除湿運転後、電磁弁１３のオフが容易となる。
【００５７】
〔第２実施形態〕
図８は、本開示の第２実施形態の空気調和機の制御ブロック図である。なお、図８において、図１の構成部と同一構成部は、図２の構成部の参照番号と同一参照番号を付している。
【００５８】
上記空気調和機は、マイクロコンピュータ、入出力回路などから成る制御装置２００を備える。この制御装置２００は、冷房除湿運転制御部１００ａおよび過絞り除湿制御部１００ｂの他に、上記第１実施形態の再熱除湿運転制御部１００ｃとは異なる再熱除湿運転制御部２００ｃと、外気温度センサ５７によって検出された外気温度を所定時間間隔(例えば０．５秒間隔)で記憶する記憶部２００ｄとを有する。なお、制御装置２００は制御部の一例である。
【００５９】
再熱除湿運転制御部２００ｃは、再熱除湿運転中、室外ファン２６の回転数(例えば１５０ｒｐｍ)が所定回転数以下になったとき、室外ファン２６の回転数が所定回転数以下になる直前に外気温度センサ５７が検出した外気温度を用いて、室外ファン２６の回転数を調整する。より詳しく説明すると、再熱除湿運転が開始されると、記憶部２００ｄに記憶された外気温度の中から、室外ファン２６の回転数が所定回転数以下になる直前に、外気温度センサ５７によって検出された外気温度を選択する。この選択された外気温度と、予め作成されたテーブルとを用いて、室外ファン２６の回転数が調整される。
【００６０】
上記構成の空気調和機では、再熱除湿運転中、室外ファン２６の回転数が所定回転数以下になると、室外ファン２６の回転数が所定回転数以下になる直前に外気温度センサ５７が検出した外気温度を用いて、室外ファン２６の回転数を調整することにより、その調整の信頼性が高まる。
【００６１】
上記再熱除湿運転中、室外ファン２６の回転数が所定回転数以下になると、外気温度センサ５７へ流れる室外空気の量が減るため、外気温度センサ５７によって検出される室外温度が実際の室外温度から大きく外れる可能性がある。したがって、仮に、室外ファン２６の回転数が所定回転数以下になった後に、外気温度センサ５７によって検出された外気温度を用いて、室外ファン２６の回転数を調整したなら、室外ファン２６の回転数の調整が不適切なものになる恐れがある。
【００６２】
上記第２実施形態では、外気温度センサ５７によって検出された外気温度は、制御装置２００内の記憶部２００ｄに記憶されていたが、制御装置２００外に設けられた記憶装置(例えば、フラッシュメモリなど)に記憶されるようにしてもよい。
【００６３】
〔第３実施形態〕
図９は、本開示の第３実施形態の空気調和機の制御ブロック図である。なお、図９において、図１の構成部と同一構成部は、図２の構成部の参照番号と同一参照番号を付している。
【００６４】
上記空気調和機は、マイクロコンピュータ、入出力回路などから成る制御装置３００を備える。この制御装置３００は、冷房除湿運転制御１００ａおよび過絞り除湿制御部１００ｂの他に、上記第１実施形態の再熱除湿運転制御部１００ｃとは異なる再熱除湿運転制御部３００ｃを有する。なお、制御装置３００は、制御部の一例である。
【００６５】
再熱除湿運転制御部３００ｃは、再熱除湿運転中、室外ファン２６の回転数が(例えば１５０ｒｐｍ)が所定回転数以下になってから、所定時間(例えば１時間または２時間)経過したとき、室外ファン２６の回転数を上記所定回転数よりも上げて、外気温度センサ５７に外気温度を検出させる。そして、室外ファン２６の回転数が上記所定回転数よりも上がった後、外気温度センサ５７によって検出された外気温度と、予め作成されたテーブルとを用いて、室外ファン２６の回転数が調整される。
【００６６】
上記構成の空気調和機では、再熱除湿運転中、室外ファン２６の回転数が所定回転数以下になったとしても、所定時間後、室外ファン２６の回転数が上記所定回転数よりも上がることにより、外気温度センサ５７へ流れる室外空気の量が増える。その結果、外気温度センサ５７によって検出される外気温度と、実際の外気温度との差を低減することができる。したがって、室外ファン２６の回転数の調整が不適切になる恐れが減る。
【００６７】
本開示の具体的な実施形態について説明したが、本開示は上記第１〜第３実施形態およびその変形例に限定されるものではなく、本開示の範囲内で種々変更して実施することができる。例えば、上記第１実施形態の変形例に第２実施形態または第３実施形態を適用したものを、本開示の一実施形態としてもよい。
【符号の説明】
【００６８】
１  室内機
２  室外機
１１  室内熱交換器
１１ａ  本体熱交換部
１１ａ−１  正面部
１１ａ−２  背面部
１１ｂ  補助熱交換部
１３  電磁弁
１２  室内ファン
２１  圧縮機
２２  四路切換弁
２３  室外熱交換器
２４  膨張弁
２５  アキュムレータ
２６  室外ファン
５１  室内熱交換器温度センサ
５２  室内温度センサ
５３  室内湿度センサ
５６  室外熱交換器温度センサ
５７  外気温度センサ
５８  冷媒温度センサ
１００，２００，３００  制御装置
１００ａ  冷房除湿運転制御部
１００ｂ  過絞り除湿運転制御部
１００ｃ，２００ｃ，３００ｃ  再熱除湿運転制御部
２００ｄ  記憶部
ＲＣ  冷媒回路
【図１】
2020070983.tif 000003
【図２】
2020070983.tif 000004
【図３】
2020070983.tif 000005
【図４】
2020070983.tif 000006
【図５】
2020070983.tif 000007
【図６】
2020070983.tif 000008
【図７】
2020070983.tif 000009
【図８】
2020070983.tif 000010
【図９】
2020070983.tif 000011